(57)【特許請求の範囲】
【請求項１】
抽出を抽出収納部から前後両側に引出すことができる両面引出し式ロッカーにおいて、抽出における前後両側板の内側にラッチ機構を対設し、該ラッチ機構における上向きのラッチは、外側が垂直面で内側が傾斜面の先端部がバネ力により上昇して、抽出収納部における上位板の下面前後に僅かな余地を残して形成した上側ガイド溝の前後両端に係合し、このラッチをバネ力に抗して下降作動させるプッシュボタンを、抽出における前後両側板から外側に突出させ、且つ抽出の上げ底板と抽出収納部の下位板との間に形成された空間部に摺動駒を挿入し、この摺動駒の下面に設けた突子を抽出収納部における下位板の上面前後に前記上位板の余地より長い余地を残して形成した下側ガイド溝に摺動自在に嵌入したことを特徴とする両面引出し式ロッカー。
【請求項２】
抽出の少なくとも一方の前側板を、抽出の左右両側板及び上げ底板の端面に固定した内板と、この内板の外面に着脱可能に装着した外板とにより構成し、且つ内板の下端に、摺動駒が通過可能な大きさの切欠き部を形成した請求項１記載の両面引出し式ロッカー。
【発明の詳細な説明】
【技術分野】
【０００１】
本発明は、抽出を脱落させることなく前後に大きく引出すことができる両面引出し式ロッカーに関するものである。
【背景技術】
【０００２】
特許第３０１３２２４号公報には、扉の開放端側裏面にラッチ機構を設け、該ラッチ機構におけるラッチの先端部外側を垂直面とし、先端部内側を傾斜面とし、この先端部をバネ力によりラッチケースより側方へ突出させて、キャビネット等の側板内面に固定した受座に係合させ、扉から突出したプッシュボタンを押込むことにより、ラッチをケース内に後退させて扉を開放するラッチ機構が開示されている。
【０００３】
このラッチ機構を、両面抽出における前後両前側板の内面に固定し、抽出収納部における上位板の下面の前後に受座を固定するときは、前後両側板から突出したプッシュボタンを押してラッチを後退させることにより、抽出を前側又は後側に引出すことはできるが、例えば、前側に勢い良く引出した場合、後側のラッチは、先端部内側が傾斜面のために、前側の受座を乗り越えてしまい、抽出を抽出収納部から脱落させる虞がある。
【先行技術文献】
【特許文献】
【０００４】
【特許文献１】特許第３０１３２２４号公報
【発明の概要】
【発明が解決しようとする課題】
【０００５】
本発明は、抽出を脱落させることなく、前後に大きく引出すことができる両面引出し式ロッカーを提供することを目的としている。
【課題を解決するための手段】
【０００６】
本発明に係る請求項１の両面引出し式ロッカーは、抽出を抽出収納部から前後両側に引出すことができる両面引出し式ロッカーにおいて、抽出における前後両側板の内側にラッチ機構を対設し、該ラッチ機構における上向きのラッチは、外側が垂直面で内側が傾斜面の先端部がバネ力により上昇して、抽出収納部における上位板の下面前後に僅かな余地を残して形成した上側ガイド溝の前後両端に係合し、このラッチをバネ力に抗して下降作動させるプッシュボタンを、抽出における前後両側板から外側に突出させ、且つ抽出の上げ底板と抽出収納部の下位板との間に形成された空間部に摺動駒を挿入し、この摺動駒の下面に設けた突子を抽出収納部における下位板の上面前後に前記上位板の余地より長い余地を残して形成した下側ガイド溝に摺動自在に嵌入している。
【０００７】
上記請求項１の発明にあっては、抽出の前側板から突出したプッシュボタンを押してラッチを下降させ、先端部を上側ガイド溝から離脱させて抽出を引くと抽出は抽出収納部から大きく引出され、引出し方向に対して後ろ側の前側板の内面により押されて前進する摺動駒の突子が下側ガイド溝の前端に達すると抽出は停止する。従って、抽出を勢い良く引出すことがあっても、抽出収納部から脱落することがない。
【０００８】
本発明に係る請求項２の両面引出し式ロッカーは、請求項１の両面抽出式ロッカーにおいて、抽出の少なくとも一方の前側板を、抽出の左右両側板及び上げ底板の端面に固定した内板と、この内板の外面に着脱可能に装着した外板とにより構成し、且つ内板の下端に、摺動駒が通過可能な大きさの切欠き部を形成している。
【０００９】
前側板における外板を内板から離脱した後、抽出を一旦抽出収納部内に押込んで下側ガイド溝の端部を露出させ、この露出した下側ガイド溝に摺動駒の突子を摺動自在に嵌入する。そこで抽出を手前に引出して外板を内板に取付けることにより、空間部への摺動駒の組込みを行う。上記請求項２の発明は、請求項１の発明と同様に、抽出を勢い良く引出すことがあっても、抽出収納部から脱落することがない。
【発明の効果】
【００１０】
本発明に係る請求項１及び請求項２の両面引出し式ロッカーは、抽出を大きく引出そうとする場合、引出す方向に対して後側の前側板により押された摺動駒の突子が下側ガイド溝の前端に到達すると抽出は停止し、抽出収納部からの脱落が阻止されるため、子供も安心して使用することができる。
【００１１】
請求項２の両面引出し式ロッカーにあっては、抽出における前側板の外板が取外し可能であり、しかも内板には摺動駒が通過可能な大きさの切欠き部を形成したから、摺動駒の空間部への挿入、空間部からの離脱が可能であり、従ってロッカーにおける抽出収納部への抽出の挿入、及び抽出収納部からの抽出の取外しを容易に行うことができる。
【図面の簡単な説明】
【００１２】
【図１】本発明に係る両面抽出式ロッカーの実施形態を示す一部縦断正面図である。
【図２】同上実施形態の縦断側面図である。
【図３】同上実施形態における要部を示す縦断面図である。
【図４】同上実施形態における引出し状態の要部を示す縦断面図である。
【図５】同上実施形態における抽出であって、外板を離脱した状態を示す斜視図である。
【発明を実施するための形態】
【００１３】
以下、本発明に係る両面抽出式ロッカーの実施形態を図１乃至図５を参照して詳細に説明する。
【００１４】
符号Ａは保育園、幼稚園等で使用する両面抽出式ロッカーであり、該ロッカーは前後に開口した多数の抽出収納部１を形成し、各抽出収納部１には前後に引出せる抽出Ｂを挿入している。この抽出Ｂは、図5に示すように前後両側板２と左右両側板３及び上げ底板４とにより構成され、前記の前後両側板２は、左右両側板３と上げ底板４との端面に固定された内板５と、その外側面にネジ６により着脱自在に取付けた把手７付きの外板８とにより形成している。また内板５の下端中央部には、後記する摺動駒が通過し得る大きさの切欠き部９を形成している。
【００１５】
符号Ｃは前後両側板１の上端中央部に固定したラッチ機構であり、ケース１０内には、バネ１１の弾力により先端部をケース１０の上端より突出させたラッチ１２を設けている。このラッチ１２の先端部は、図３、図４、図５に示すように外側が垂直面１２ａで内側が傾斜面１２ｂで形成されている。またケース１０の前面を貫通したプッシュボタン１３は、前後両側板２を貫通して先端を前後両側板２から外側へ進退可能に突出し、内端下面に形成したテーパー面１４をラッチ１２の横孔１５に挿入している。
【００１６】
符号１６は前記抽出収納部１における上位板１７の下面中央部に、前後に僅かな余地Ｓ１を残して形成した前後方向の上側ガイド溝であり、このガイド溝１６の前後両端に、ラッチ１２の先端部を係止せている。
【００１７】
符号１８は前記抽出収納部１における下位板１９の上面中央部に、前記上位板１７の余地Ｓ１より長い余地Ｓ２を残して形成した前後方向の下側ガイド溝である。更に符号２０は抽出Ｂの上げ底板４と抽出収納部１の下位板１９との間に形成された空間部であり、該空間部２０には摺動駒２１を挿入している。この摺動駒２１の下面には突子２２を設け、これを前記下側ガイド溝１８に摺動自在に嵌入している。
【００１８】
図３に示す状態において、抽出Ｂの前側板２から突出したプッシュボタン１３を押してラッチ１２を下降させ、先端部を上８に側ガイド溝１６から離脱させて抽出Ｂを引くと、抽出Ｂは抽出収納部１から引出される。図４に示すように抽出Ｂの前進に伴って、後ろ側の前側板２の外板８に押された摺動駒２１の突子２２が下側ガイド溝１８の前端に達すると抽出Ｂは停止する。従って抽出Ｂを勢い良く引出すことがあっても、抽出Ｂは大きく開口した状態で必ず停止するため、子供も安心して使用することができる。
【００１９】
尚上記実施形態は、抽出Ｂにおける前側板２の外板８を内板５から離脱した後、一旦抽出Ｂを抽出収納部１内に押込んで下側ガイド溝１８の端部を露出させ、この露出部分に摺動駒２１の突子２２を摺動自在に嵌入して、抽出Ｂを手前に引き、切欠き部９により摺動駒２１を通過した内板５に外板８を取付けることにより、抽出収納部１への抽出Ｂの挿入を行う。
【００２０】
抽出Ｂを抽出収納部１から離脱する場合は、前記と同様に、抽出Ｂにおける前側板２の外板８を内板５から取外し、摺動駒２１が切欠き部９を通過して露出するまで抽出Ｂを抽出収納部１内に押込んだ後、摺動駒２１を下側ガイド溝１８から取外し、抽出Ｂを抽出収納部１から離脱する。
【００２１】
前記実施形態は、前後両前側板２の両方の外板８を脱着可能とし、両方の内板５に切欠き部９を形成することにより、抽出Ｂを前後何れの側からも摺動駒２１の組込み、及び取外しができるように構成しているが、一方の前側板２のみの内板５に切欠き部９を形成する場合もある。また抽出Ｂの上げ底板４を脱着式にすることにより、空間部２０へ摺動駒２１を挿入し、突子２２を下側ガイド溝１８に嵌入することも可能である。
【符号の説明】
【００２２】
Ａ        両面引出し式ロッカー
Ｂ        抽  出
Ｃ        ラッチ機構
１        抽出収納部
２        前後両側板
３        左右両側板
４        上げ底板
５        内板
６        ネ  ジ
８        外板
９        切欠き部
１２      ラッチ
１３      プッシュボタン
１６      上側ガイド溝
１７      上位板
１８      下側ガイド溝
１９      下位板
Ｓ１，Ｓ２  余  地
２０      空間部
２１      摺動駒
２２      突  子
【図１】
0006016726.tif 000002
【図２】
0006016726.tif 000003
【図３】
0006016726.tif 000004
【図４】
0006016726.tif 000005
【図５】
0006016726.tif 000006